(57)【特許請求の範囲】
【請求項１】
一眼式の保護レンズと、該保護レンズを支持するゴーグルフレームとを備え、該ゴーグルフレームの幅方向略中央下部に鼻当座が設けられたゴーグルにおいて、
保護レンズの幅方向略中央下部に、鼻当座よりも上方に切り欠かれた切欠部が形成され、この切欠部に、矯正眼鏡が着脱自在に取付けられる取付ブラケットが下方から嵌着されており、該取付ブラケットの下部が前記鼻当座に支持され、取付ブラケットは、保護レンズと鼻当座との間に挟み込まれていることを特徴とするゴーグルにおける矯正眼鏡の取付装置。
【請求項２】
一眼式の保護レンズと、該保護レンズを支持する可撓性を有するゴーグルフレームとを備え、該ゴーグルフレームの幅方向略中央下部に鼻当座が設けられたゴーグルにおいて、
保護レンズの幅方向略中央下部に、鼻当座よりも上方に切り欠かれた切欠部が形成され、この切欠部に、矯正眼鏡に一体的に設けられた取付ブラケットが下方から嵌着されており、該取付ブラケットの下部が前記鼻当座に支持され、取付ブラケットは、保護レンズと鼻当座との間に挟み込まれていることを特徴とするゴーグルにおける矯正眼鏡の取付装置。
【請求項３】
取付ブラケットが保護レンズに対して着脱自在に取付けられていることを特徴とする請求項１又は請求項２に記載のゴーグルにおける矯正眼鏡の取付装置。
【発明の詳細な説明】
【０００１】
【産業上の利用分野】
本発明は、ゴーグルに対して矯正眼鏡を取付ける装置に関する。
【０００２】
【従来の技術】
この種、ゴーグルの柔軟性を損なうことなく一眼式保護レンズの内側に矯正眼鏡を好適に取付けることができる従来の矯正眼鏡の取付装置としては、例えば、実公昭６３−７２２５号公報に開示されたものがある。
この従来例では、可撓性を有するゴーグルフレームの幅方向略中央上部に、プラスチック製の吊持片が取付けられており、該吊持片に矯正眼鏡が吊持されている。
【０００３】
【発明が解決しようとする課題】
ところで、ゴーグルにおいては、例えば実公昭６３−２３０７３号公報に開示されているように、ゴーグルフレームの上側周壁部に、ゴーグルレンズの曇りを防止するために換気用ファン及び電動機等を設けることがあるが、かかる場合、吊持片を取付けるべき箇所にファン等が設けられているため、吊持片をゴーグルフレームに取付けることができない。
【０００４】
また、人の顔の輪郭、特に額部の形状は種々異なるため、上記従来例のようにゴーグルフレームの上部に矯正眼鏡を吊持する構成とすると、眼の位置に矯正眼鏡を合わせるべく吊持片をゴーグルフレームに対して位置調整自在に取付けなければならないとともに、吊持片自体を屈撓自在に構成する必要がある。このように吊持片を屈撓自在とすると、該吊持片による矯正眼鏡の支持が不安定となるため、矯正眼鏡の振動を防止するために、矯正眼鏡にノーズパッドを設けなければならない。
【０００５】
しかし、ゴーグルの装着者の鼻には既にゴーグルの鼻当座が当接されており、これに加えて矯正眼鏡のノーズパッドが鼻に当たるのは、装着者に対して不快感を与えることとなる。
そこで、本発明は、ゴーグルフレームの上側周壁部に換気ファンを設けた場合でも矯正眼鏡をゴーグルフレームに取付けることができ、さらに、ゴーグルの装着者毎にゴーグルフレームに対する矯正眼鏡の位置調整をする必要をなくし、矯正眼鏡を安定的にゴーグルフレームに取付けることができるようにすることを目的とする。
【０００６】
【課題を解決するための手段】
上記目的を達成するために、本発明は、一眼式の保護レンズと、該保護レンズを支持するゴーグルフレームとを備え、該ゴーグルフレームの略中央下部に鼻当座が形成されたゴーグルにおいて、次の特徴的構成を具備するものである。
すなわち、本発明は、前記保護レンズの略中央下部に形成された切欠部に、矯正眼鏡が着脱自在に取付けられる取付ブラケットが下方から嵌着されており、該取付ブラケットの下部が前記鼻当座に支持されていることを特徴としている。
【０００７】
また、本発明は、前記保護レンズの略中央下部に形成された切欠部に、矯正眼鏡に一体的に設けられた取付ブラケットが下方から嵌着されており、該取付ブラケットの下部が前記鼻当座に支持されていることを特徴としている。
矯正眼鏡の不使用時に取付ブラケットが視界の妨げとなることを防止すべく、取付ブラケットを保護レンズに対して着脱自在に取付けることができる。
【０００８】
【作用】
取付ブラケットは、保護レンズの下部とゴーグルフレームの鼻当座とにより支持され、ゴーグルフレームの上部側に取付けるものでないため、ゴーグルフレームの上側周壁にファン等を取付けることができる。
また、取付ブラケットの下部を鼻当座により支持したので、鼻当座が当接される装着者の鼻の位置に対する該装着者の眼の位置は、装着者毎にさほど異なるものではなく、鼻当座に対する装着レンズの相対位置を調節自在とする必要がなくなり、取付ブラケットとして十分な強度を有するものを採用でき、ノーズパッドが不必要となる。従って、装着者に不快感を与えることが解消される。
【０００９】
矯正眼鏡を使用しないときには、矯正眼鏡とともに取付ブラケットをゴーグルフレームから取り外せば、取付ブラケットが装着者の視界の妨げとなることがない。
【００１０】
【実施例】
以下、本発明の実施例を、図面に基づいて説明する。
図１〜図５は本発明の矯正眼鏡の取付装置の第１実施例を示しており、ゴーグル１は、可撓性を有するプラスチック製のプレートからなる一眼式の保護レンズ２と、この保護レンズ２を支持するゴーグルフレーム３と、ゴーグルフレーム３の幅方向両側部に連結されたゴムバンド４とを備えてなる。
【００１１】
ゴーグルフレーム３は、ビニールやゴム等の軟質材より可撓性を有する枠状に形成され、前面側には保護レンズ２が着脱自在に嵌着される嵌着凹溝５が周設されている。また、フレーム３の周壁には、適宜の位置に換気孔６が開設されており、フレーム３の外周部に設けられたスポンジシート７により換気孔６からエアのみが通過するように閉塞されている。
【００１２】
このフレーム３の後面側には、スポンジ、モントプレーン等の密接用部材８が貼着されており、この密接用部材８を介してフレーム３が全周にわたって装着者Ｍの顔面に密接されるように構成されている。
フレーム３の幅方向略中央下部には、ゴーグル装着者Ｍの鼻Ｎに当接する鼻当座１０が形成されている。この鼻当座１０は、本実施例では、フレーム３の下側周壁の幅方向中央部が上方に湾曲形成されてなる湾曲部１１と、該湾曲部１１に対応する密接用部材８とにより構成される。
【００１３】
鼻当座１０の湾曲部１１には、嵌着凹溝５よりも前面側で上方に立ち上がる立設片１２が形成されており、この立設片１２の上端は略水平状に形成されている。
保護レンズ２の幅方向略中央下部には、鼻当座１０よりも上方に略山形状に切り欠かれた切欠部１３が形成されている。この切欠部１３に、矯正眼鏡１４が着脱自在に取付けられる取付ブラケット１５が下方から嵌着されている。
【００１４】
この取付ブラケット１５は、硬質合成樹脂製であって、正面視略台形状となされた固定部１６と、該固定部１６から後上方へと延設された取付部１７とを一体に備えて構成されている。
固定部１６は、保護レンズ２の切欠部１３の縁部前面に当接する第１片１６ａと、保護レンズ２の切欠部１３の縁部後面に当接する第２片１６ｂと、これら第１片１６ａと第２片１６ｂとを連結一体化する連結部１６ｃとから構成されており、第１片１６ａと第２片１６ｂとの間は保護レンズ２の切欠部１３の縁部が嵌め込まれる嵌込溝１８とされている。
【００１５】
第１片１６ａの下端は、第１片１６ａの下端は鼻当座１０の立設片１２の上端に支持されている。また、第２片１６ｂの下端は、第１片１６ａの下端よりも若干下方に延設されて、立設片１２よりも後方で鼻当座１０に支持されている。
取付部１７には、後方に突設された上下一対の弾性を有する差込片１９を備えている。この差込片１９の先端部には上下に膨出する抜け止め係合部１９ａが形成されている。なお、取付部１７は、幅方向中央に設けられたリブ２０により補強されている。
【００１６】
この取付ブラケット１５に取付けられる矯正眼鏡１４は、左右一対のレンズ部２１と、これらレンズ部２１を連結する連結片２２とを備えている。この連結片２２には、一対の差込片１８が嵌め込まれる上下一対の挿通孔２３が形成されており、該挿通孔２３に差込片１８を着脱することで、取付ブラケット１５に対して矯正眼鏡１４が着脱自在に取付けられている。
【００１７】
なお、この矯正眼鏡１４は、取付ブラケット１５に一体的に設けることができる。
本実施例によれば、取付ブラケット１５の固定部１６は、保護レンズ２の切欠部１３近傍と鼻当座１０とにより挟み込み状に支持され、ゴーグルフレーム３の上部側に取付けるものでないため、ゴーグルフレーム３の上側周壁に、例えば実公昭６３−２３０７３号公報に記載されたファン装置等（図示せず）を取付けることができる。
【００１８】
また、取付ブラケット１５の固定部１６の下部を鼻当座１０により支持したので、鼻当座１０が当接される装着者Ｍの鼻Ｎの位置に対する該装着者Ｍの眼Ｅの位置は、装着者毎に差ほど異なるものではなく、鼻当座１０に対する矯正眼鏡１４の相対位置を調節自在とする必要がなくなり、取付ブラケット１５として十分な強度を有するものを採用でき、従って、ノーズパッドは不必要である。従って、装着者Ｍに不快感を与えることが解消される。
【００１９】
矯正眼鏡１４を使用しないときには、取付ブラケット１５をゴーグルフレーム３から取り外せば、取付ブラケット１５が装着者Ｍの視界の妨げとなることが防止される。
なお、図６〜図８には、本発明の矯正眼鏡の取付装置と同様の装置をサングラス３１に適用した例を示している。なお、上記実施例と同様の構成については同符号を付して詳細説明を省略する。
【００２０】
このサングラス３１は、適正な曲面を備えた可撓性及び弾性を有する透明乃至半透明の一眼式保護レンズ３２と、該レンズ３２の両側方端部上端に固着した左右一対のフレーム３３と、両フレーム３３の外端に折り畳み自在に取付けられた左右一対のツル３４とから構成されている。
レンズ３２の中央ブリッジ下部には鼻当座３５を着脱自在に嵌着する嵌合部３６が上方切欠状に形成されているとともに、該嵌合部３６よりも上方に、矯正眼鏡取付装置の取付ブラケット１５が下方から嵌着される切欠部１３が形成されている。
【００２１】
鼻当座３５は、正面視略Ｖ字形を呈する硬質プラスチック製の保持体３７と、軟質ゴム製の鼻当て３８とから構成され、保持体３７の幅方向側面には、レンズ３２が嵌着される嵌合溝３９が形成されている。
取付ブラケット１５は、保護レンズ３２の前面側に面接する第１片４０と、保護レンズ３２の後面側に面接する第２片４１とを備えて、これら第１片４０と第２片４１とが下端部で一体的に連結されており、第１片４０と第２片４１とにより保護レンズ３２の幅方向略中央部を挟着保持するようになっているとともに、該取付ブラケット１５の下端部が鼻当座３５に支持されるようになっている。
【００２２】
鼻当座３５には、取付ブラケット１５の下端部後面に係合する係合支持部４２が上方突設されており、取付ブラケット１５の取付状態の安定化を図っている。
なお、図９に示すように、縁枠４３付きサングラス４４に、同様の矯正眼鏡の取付装置を採用することもできる。
【００２３】
【発明の効果】
以上説明したように、本発明のゴーグルにおける矯正眼鏡の取付装置では、前記保護レンズの幅方向略中央下部に形成された切欠部に、矯正眼鏡が着脱自在に取付けられるか、或いは矯正眼鏡に一体的に設けられた取付ブラケットが下方から嵌着されており、該取付ブラケットの下部が前記鼻当座に支持されているので、ゴーグルフレームの上側周壁にファン等の取付部分を設けることができる。さらに、取付ブラケットの下部を鼻当座により支持したので、鼻当座が当接される装着者の鼻の位置に対する該装着者の眼の位置は装着者毎に差ほど異なるものではなく、鼻当座に対する装着レンズの相対位置を調節自在とする必要がなくなり、取付ブラケットとして十分な強度を有するものを採用でき、ノーズパッドが不必要となり、装着者に不快感を与えることを防止することができる。
【００２４】
また、取付ブラケットに矯正眼鏡を一体的に設けたものでは、矯正眼鏡を使用しないときには、矯正眼鏡とともに取付ブラケットをゴーグルフレームから取り外すことができ、矯正眼鏡の不使用時に取付ブラケットが装着者の視界の妨げとなることを防止することができる。
【図面の簡単な説明】
【図１】本発明に係るゴーグルにおける矯正眼鏡の取付装置の実施例を示す断面図である。
【図２】同ゴーグルの斜視図である。
【図３】同ゴーグルにおける取付ブラケットを示し、（ａ）は平面図、（ｂ）は正面図、（ｃ）は右側面図である。
【図４】同取付ブラケットの背面図である。
【図５】図３のＡ−Ａ線断面図である。
【図６】矯正眼鏡の取付装置を備えたサングラスの正面図である。
【図７】図６のＢ−Ｂ線断面図である。
【図８】同サングラスにおける鼻当座の斜視図である。
【図９】矯正眼鏡の取付装置を備えた他のサングラスの正面図である。
【符号の説明】
１  ゴーグル
２  保護レンズ
３  ゴーグルフレーム
１０  鼻当座
１３  切欠部
１４  矯正眼鏡
１５  取付ブラケット
【図１】
0003550429.tif 000002
【図２】
0003550429.tif 000003
【図３】
0003550429.tif 000004
【図４】
0003550429.tif 000005
【図５】
0003550429.tif 000006
【図６】
0003550429.tif 000007
【図７】
0003550429.tif 000008
【図８】
0003550429.tif 000009
【図９】
0003550429.tif 000010